(57)【要約】【課題】地面を掘削することなく、または少ない掘削量で緊張材の下端を適切に固定することのできる組積造の補強構造及び補強方法を提供する。【解決手段】組積造１２の補強構造１０は、組積造壁１８の側面に形成された横穴２０と、壁上端２２から下方に向かって形成されて横穴２０に連通する貫通孔２４と、貫通孔２４より下方で、横穴２０からさらに下方に向かって形成された緊張材固定穴２６と、壁上端２２から緊張材固定穴２６まで延在する緊張材２８とを有する。緊張材２８は、その下端が緊張材固定穴２６の中で定着板３２とともに充填剤により固定され、張力が付与された状態で、上方部分が固定されている。【選択図】図１
2018178646.tif 000002
【特許請求の範囲】
【請求項１】
組積造又は該組積造を支える地中の基礎部の側面に形成された横穴と、
前記組積造の一部である組積造壁の壁上端から下方に向かって形成されて前記横穴に連通する貫通孔と、
前記貫通孔より下方で、前記横穴からさらに下方に向かって形成された前記貫通孔より広い緊張材固定穴と、
前記壁上端から前記緊張材固定穴まで延在する緊張材と、
を有し、
前記緊張材は、その下端が前記緊張材固定穴の中で前記貫通孔より広い定着部材とともに充填剤により固定され、張力が付与された状態で上方部分が前記壁上端に固定されていることを特徴とする組積造の補強構造。
【請求項２】
請求項１記載の組積造の補強構造において、
前記横穴は、前記組積造壁に形成されていることを特徴とする組積造の補強構造。
【請求項３】
請求項１又は２記載の組積造の補強構造において、
前記緊張材固定穴及び前記緊張材は、前記基礎部まで達していることを特徴とする組積造の補強構造。
【請求項４】
組積造又は該組積造を支える地中の基礎部の側面から、所定の交差箇所まで横穴を形成する横穴形成工程と、
前記組積造の一部である組積造壁の壁上端から下方に向かって前記交差箇所まで連通する貫通孔を形成する貫通孔形成工程と、
前記交差箇所からさらに下方に向かって前記貫通孔より広い緊張材固定穴を形成する緊張材固定穴形成工程と、
前記壁上端から前記緊張材固定穴まで緊張材を挿入し、前記緊張材の下端を前記緊張材固定穴の中で前記貫通孔より広い定着部材とともに充填剤により固定する緊張材下部固定工程と、
前記緊張材の上方部分を上方に引っ張ることにより張力を付与する張力付与工程と、
前記緊張材に張力が付与された状態で前記緊張材の上方部分を前記壁上端に固定する緊張材上部固定工程と、
を有することを特徴とする組積造の補強方法。
【請求項５】
請求項４記載の組積造の補強方法において、
前記貫通孔及び前記緊張材固定穴は削孔機によって削孔され、
前記貫通孔形成工程では、前記削孔機の工具軸の先端に前記貫通孔の径に対応した第１工具が設けられ、該第１工具により前記貫通孔が削孔され、
前記緊張材固定穴形成工程では、前記工具軸の先端に前記緊張材固定穴の径に対応した第２工具が設けられ、該第２工具により前記緊張材固定穴が削孔され、
前記第２工具は前記横穴内で前記工具軸の先端に設けられることを特徴とする組積造の補強方法。
【請求項６】
請求項５記載の組積造の補強方法において、
前記貫通孔形成工程で前記削孔機により前記貫通孔を形成した後、前記横穴内で前記工具軸から前記第１工具を取り外し前記第２工具に交換する工具交換工程を有することを特徴とする組積造の補強方法。
【請求項７】
請求項４〜６のいずれか１項に記載の組積造の補強方法において、
前記横穴の開口部の少なくとも一部は、前記組積造の表面を形成するブロック体の目地に沿った形状にすることを特徴とする組積造の補強方法。
【請求項８】
請求項４〜７のいずれか１項に記載の組積造の補強方法において、
前記緊張材固定穴の内側面を削って表面を粗くし又は溝部を設ける穴側面加工工程を有することを特徴とする組積造の補強方法。
【請求項９】
請求項４〜８のいずれか１項に記載の組積造の補強方法において、
前記緊張材固定穴に補強筋を設ける穴補強工程を有することを特徴とする組積造の補強方法。
【発明の詳細な説明】
【技術分野】
【０００１】
本発明は、例えば、レンガ、コンクリートブロック、石が組み上げられて形成される組積造の補強構造及び補強方法に関する。
【背景技術】
【０００２】
レンガ、コンクリートブロック、石などが組み上げられて形成された建造物は組積造と呼ばれている。明治から昭和初期にかけては洋風のレンガ造りの組積造が多く建てられ、現在その文化的価値が高まるとともに観光資源としても貴重であり保全が求められている。
【０００３】
図６の一部として例示するように、組積造５００は地中の既存のコンクリート基礎５０２の上に設けられ、レンガの根積部５０４及び組積造壁５０５を有する。根積部５０４は組積造壁５０５よりも幅広に形成されており地中に設けられることがある。図６において組積造壁５０５は紙面に垂直な方向に延在しており左右の一方が室外側、他方が室内側となる。なお、組積造５００及びコンクリート基礎５０２は、図面が煩雑となるのを避けるために断面ハッチングを省略しており、後述する他図における対応する要素についても同様である。
【０００４】
このような古い組積造は現行の耐震基準からみて必ずしも十分な強度を有しているとは言えず、なんらかの補強が必要でありながらも外観上の文化財としての価値を大きく損なう補強方法は好ましくない。また、将来的に補強部材を撤去して元の状態に戻す可逆性が要求されることがある。
【０００５】
そこで、特許文献１には図６に示すような工法が提案されている。すなわち、地面から根積部５０４及びコンクリート基礎５０２の一方の面を露呈させるだけの領域の作業エリア５０６を予め掘削しておき、組積造壁５０５の上端部からコンクリート基礎５０２の下端まで貫通する貫通孔５０８を形成するとともに、コンクリート基礎５０２の側面から貫通孔５０８に達する横穴５１０を形成する。そして形成した貫通孔５０８に緊張材５１６を挿入し、その下端に横穴５１０から定着板５２０を取り付けるとともに補強用のスパイラル５２２を挿入する。横穴５１０は比較的深くて作業性が悪いため、緊張材５１６の先端にはあらかじめナットが取り付けられており、貫通孔５０８もそれに応じてやや大径に設定されている。また、緊張材５１６に取り付けやすいように定着板５２０には深い挿入切欠きが設けられている。
【０００６】
さらに、横穴５１０を充填剤で充填して緊張材５１６を定着板５２０とともに固定した後に、緊張材５１６の壁上端から突出した部分を上方に引っ張ることにより張力を付与し、緊張材５１６に張力が付与された状態で組積造壁５０５の壁上端に固定する。
【０００７】
このような工法では、緊張材５１６の張力により組積造壁５０５に対して鉛直圧縮力がプレストレスとして加わることになり、組積造壁５０５のせん断応力や曲げ耐力を向上させることができて耐震性が向上し、しかも外観がそのまま維持される。
【先行技術文献】
【特許文献】
【０００８】
【特許文献１】特開２０１１−６９４７号公報
【発明の概要】
【発明が解決しようとする課題】
【０００９】
ところで、上記の図６に示す補強構造及び補強方法では、既存のコンクリート基礎５０２に横穴５１０を形成する必要から作業エリア５０６の範囲を掘削しなければならず、掘削機の用意、掘削工程、土砂の保管及び埋戻し工程を要することから大規模工事となって、コスト増と工期の長期化が避けられない。作業エリア５０６は比較的広く且つ深いため崩落防止の養生と、土砂粉塵の飛散防止対策が必要である。
【００１０】
比較的深い横穴５１０を削孔するためには用いる削孔機はやや大型となり、それだけ作業エリア５０６も広くしなければならない。
【００１１】
また、コンクリート基礎５０２は強度上重要であり横穴５１０を形成することは本来好ましくなく、必要な強度に復帰させるためにはスパイラル５２２を設置するなどの対処が必要となる。
【００１２】
横穴５１０は比較的深いため充填剤の充填が困難であり、しかも土砂の混入防止を図るとともに充填剤が外部に無駄に漏出することのないように横穴５１０の開口部をある程度塞いでおかなければならない。また充填剤が十分硬化するまでの養生期間は作業エリア５０６を埋め戻すことができない。
【００１３】
また、作業者は狭く暗い作業エリア５０６での作業を強いられ、しかも横穴５１０は比較的深くなるため、定着板５２０の装着は目視できない手探り作業となってしまう。さらに、仮にコンクリート基礎５０２がＲＣ構造であるとすれば横穴５１０の形成はかなり困難である。
【００１４】
古い組積造５００が立設している地面は同様に古いタイル張り構造であって組積造５００と一体的な文化的価値のある場合もあり、その部分を作業エリア５０６として比較的広く掘削することには問題もあり、施工後に原状復帰させるにしても十分な注意が必要である。
【００１５】
本発明は、上記の課題に鑑みてなされたものであって、地面を掘削することなく、または少ない掘削量で緊張材の下端を適切に固定することができ、あるいは基礎部に対する削孔量が少なくて済む組積造の補強構造及び補強方法を提供することを目的とする。
【課題を解決するための手段】
【００１６】
上述した課題を解決し、目的を達成するために、本発明にかかる組積造の補強構造は、組積造又は該組積造を支える地中の基礎部の側面に形成された横穴と、前記組積造の一部である組積造壁の壁上端から下方に向かって形成されて前記横穴に連通する貫通孔と、前記貫通孔より下方で、前記横穴からさらに下方に向かって形成された前記貫通孔より広い緊張材固定穴と、前記壁上端から前記緊張材固定穴まで延在する緊張材と、を有し、前記緊張材は、その下端が前記緊張材固定穴の中で前記貫通孔より広い定着部材とともに充填剤により固定され、張力が付与された状態で上方部分が前記壁上端に固定されていることを特徴とする。これにより、地面を掘削することなく、または少ない掘削量で緊張材の下端を適切に固定することができる。横穴、貫通孔は埋め戻しておいてもよい。
【００１７】
前記横穴は、前記組積造壁に形成されていると地面の掘削は不要であるとともに、地下作業がなくなり作業性が向上する。
【００１８】
前記緊張材固定穴及び前記緊張材は、前記基礎部まで達していると緊張材を強固に固定でき、十分な張力を付与することができる。
【００１９】
また、上述した課題を解決し、目的を達成するために、本発明にかかる組積造の補強方法は、組積造又は該組積造を支える地中の基礎部の側面から、所定の交差箇所まで横穴を形成する横穴形成工程と、前記組積造の一部である組積造壁の壁上端から下方に向かって前記交差箇所まで連通する貫通孔を形成する貫通孔形成工程と、前記交差箇所からさらに下方に向かって前記貫通孔より広い緊張材固定穴を形成する緊張材固定穴形成工程と、前記壁上端から前記緊張材固定穴まで緊張材を挿入し、前記緊張材の下端を前記緊張材固定穴の中で前記貫通孔より広い定着部材とともに充填剤により固定する緊張材下部固定工程と、前記緊張材の上方部分を上方に引っ張ることにより張力を付与する張力付与工程と、前記緊張材に張力が付与された状態で前記緊張材の上方部分を前記壁上端に固定する緊張材上部固定工程と、を有することを特徴とする。これにより、地面を掘削することなく、または少ない掘削量で緊張材の下端を適切に固定することができる。
【００２０】
前記貫通孔及び前記緊張材固定穴は削孔機によって削孔され、前記貫通孔形成工程では、前記削孔機の工具軸の先端に前記貫通孔の径に対応した第１工具が設けられ、該第１工具により前記貫通孔が削孔され、前記緊張材固定穴形成工程では、前記工具軸の先端に前記緊張材固定穴の径に対応した第２工具が設けられ、該第２工具により前記緊張材固定穴が削孔され、前記第２工具は前記横穴内で前記工具軸の先端に設けられてもよい。これにより、貫通孔は緊張材の径に応じた細径にすることができる一方、緊張材固定穴は緊張材に定着部材を設ける程度に大径にすることができる。
【００２１】
前記貫通孔形成工程で前記削孔機により前記貫通孔を形成した後、前記横穴内で前記工具軸から前記第１工具を取り外し前記第２工具に交換する工具交換工程を有してもよい。これにより前記貫通孔形成工程の後に削孔機の工具軸を貫通孔から抜き取ることなく緊張材固定穴形成工程に移行することができる。
【００２２】
前記横穴の開口部の少なくとも一部は、前記組積造の表面を形成するブロック体の目地に沿った形状とすると横穴の施工跡が目立たなくなる。
【００２３】
前記緊張材固定穴の内側面を削って表面を粗くし又は溝部を設ける穴側面加工工程により、充填剤の付着強度を高めてもよい。
【００２４】
前記緊張材固定穴に補強筋を設ける穴補強工程を有してもよい。
【発明の効果】
【００２５】
本発明にかかる組積造の補強構造及び補強方法では、組積造又は該組積造を支える地中の基礎部の側面に横穴を形成し、組積造壁の壁上端から下方に向かって貫通孔を形成し、さらに貫通孔より下方に緊張材固定穴を形成している。横穴は組積造の側面に形成すると基礎部に横穴を形成するのに比べて地面を掘削することなく、または少ない掘削量で緊張材の下端を適切に固定することができる。また、横穴は比較的浅くて済み、横穴の削孔や横穴内での作業が容易となる。組積造を支える地中の基礎部に横穴を形成する場合においても、該基礎部に対する削孔量は少なくて済む。
【図面の簡単な説明】
【００２６】
【図１】図１は、本実施の形態にかかる組積造の補強構造を示す側面断面図である。
【図２】図２は、本実施の形態にかかる組積造の補強方法で、横穴から工具軸のビットを交換する様子を示す一部断面斜視図である。
【図３】図３は、本実施の形態にかかる組積造の補強方法で、横穴から緊張材に定着板を取り付ける様子を示す一部断面斜視図である。
【図４】図４は、本実施の形態の第１の変形例にかかる組積造の補強構造を示す側面断面図である。
【図５】図５は、本実施の形態の第２の変形例にかかる組積造の補強構造を示す側面断面図である。
【図６】図６は、従来技術にかかる組積造の補強構造を示す側面断面図である。
【発明を実施するための形態】
【００２７】
以下に、本発明にかかる組積造の補強構造及び補強方法の実施例を図面に基づいて詳細に説明する。なお、この実施例によりこの発明が限定されるものではない。
【実施例】
【００２８】
図１に示すように、本実施の形態にかかる補強構造１０は組積造１２を補強するものである。組積造１２は地面１３より下（つまり地中）のコンクリート基礎（基礎部）１４の上に設けられ、地中の根積部１６とほぼ全部が地上の組積造壁１８とを有し、例えば、レンガ、コンクリートブロック、石が組み上げられて形成されている。
【００２９】
根積部１６はコンクリート基礎１４の上に固定され、下部になるに従って幅広となり上部の重みを分散させる構造である。組積造壁１８は、根積部１６の上に固定され、そのほとんどは地上にあって建造物の壁を形成している。組積造壁１８は紙面に垂直な方向に延在しており左右の一方が室外側、他方が室内側となる。組積造壁１８が紙面に垂直な方向に幅広である場合には、補強構造１０はその幅に応じて複数設けられる。
【００３０】
組積造１２の補強構造１０は、組積造壁１８の比較的下方における側面に形成された横穴２０と、組積造壁１８の壁上端２２から下方に向かって形成されて横穴２０に連通する貫通孔２４と、貫通孔２４より下方で、横穴２０からさらに下方に向かって形成された緊張材固定穴２６と、壁上端２２から緊張材固定穴２６まで延在する緊張材２８とを有する。貫通孔２４は組積造壁１８の厚み方向（図１の左右方向）における略中央に設けられ、緊張材固定穴２６は貫通孔２４と同軸状に設けられる。緊張材固定穴２６は貫通孔２４よりも広い断面積を有し、その底部は根積部１６に達している。
【００３１】
緊張材２８は防錆処理が施された高強度のＰＣ鋼棒であり、下端近傍にはワッシャ付きのナット３０に支えられた定着板（定着部材）３２が設けられている。緊張材２８は、例えばワイヤなどの耐高張力部材であってもよい。定着板３２は貫通孔２４よりも広い断面積である。横穴２０は非貫通の比較的浅い有底穴であり、その開口は後述する第１ビット４２（図２参照）、第２ビット４４、定着板３２（図３参照）及びナット３０が挿入できる程度の比較的狭い面積で足りる。横穴２０は条件によって室内側又は室外側のいずれに設けてもよいが、建物の外観保全が特に重視される場合には室内側に設けるとよい。横穴２０は定着板３２を設ける位置よりも上方であればよいがなるべく下方に設け、貫通孔２４が長くなるように設定すると好適である。
【００３２】
貫通孔２４は細径であり緊張材２８との隙間は十分小さく設定されている。緊張材固定穴２６は貫通孔２４よりも十分に大径であり、定着板３２よりもやや大径である。
【００３３】
定着板３２は緊張材固定穴２６の略中央に配置され、緊張材２８の下端部とともに緊張材固定穴２６の中で充填剤（グラウドともいう。）としてのモルタルやコンクリートにより固定されている。緊張材固定穴２６には補強筋である縦スパイラル５０及び／又は穴補強鉄筋５２が設けられている。補強筋はこれ以外の形態のものでもよい。
【００３４】
壁上端２２には組積造壁１８の紙面垂直方向のほぼ全長にわたって鋼材又は他の適切な強度部材の補強梁３４が配設されている。緊張材２８の上端は補強梁３４の貫通孔を通って上方に突出しており、固定具３７によって補強梁３４を介して壁上端２２に固定されている。補強構造１０が１つの組積造壁１８に対して複数設けられる場合には補強梁３４は共用できる。後述するように緊張材２８は張力が付与された状態で壁上端２２に固定されている。
【００３５】
次に、このような補強構造１０を設けることによる組積造１２の補強方法について説明する。最初に組積造１２に支えられている屋根は必要に応じて一部または全部を一時的に取り外しておく。屋根が貫通孔２４の形成に支障がなければこの限りではない。また、壁上端２２に補強梁３４を設けておく。
【００３６】
そして、横穴形成工程として、組積造壁１８の比較的下方の側面から、所定の交差箇所３８まで横穴２０を形成する。交差箇所３８は貫通孔２４、緊張材固定穴２６及び横穴２０が交差する箇所である。
【００３７】
図２に示すように、横穴２０の開口部は、組積造壁１８の表面を形成するブロック体３６の目地に沿った形状となっている。後述の緊張材下部固定工程後には、横穴２０は取り外して保管しておいてブロック体３６またはそれと同色、同質の別のブロック体で埋め戻すことにより施工跡が目立たなくなる。横穴２０の開口部は全周をブロック体３６の目地に沿った形状とすることが好ましいが、条件によっては例えば矩形穴とし、横方向だけを目地に沿った形状としても施工跡をあまり目立たなくすることができる。
【００３８】
次いで、貫通孔形成工程として、ドリル（削孔機）の工具軸４０（図２参照）の先端に貫通孔２４の径に応じた第１ビット（第１工具）４２を取り付けておき、補強梁３４及び壁上端２２から下方に向かって交差箇所３８まで連通する貫通孔２４を第１ビット４２で削孔する。この工程では、無水工法として工具軸４０や第１ビット４２に対して冷却気体（例えば、固定二酸化炭素を気化させたガス）を噴きかけながら削孔をしてもよい。貫通孔２４は組積造壁１８内の配管、配線を避けて形成される。横穴形成工程と貫通孔形成工程の順序は問わない。
【００３９】
そして、図２に示すように、工具交換工程として、横穴２０内で工具軸４０から第１ビット４２を取り外し、緊張材固定穴２６の径に対応した第２ビット（第２工具）４４に交換する。これにより、貫通孔形成工程の後に工具軸４０を貫通孔２４から抜き取ることなく次の緊張材固定穴形成工程に移行することができる。また、図２から明らかなように横穴２０は比較的浅くて足り、作業性が良好であり、第１ビット４２から第２ビット４４への交換は容易である。
【００４０】
ただし、組積造壁１８に対して補強構造１０を複数設ける場合であって、作業者が複数人でドリルも２台用意されているときには、一台を貫通孔２４の削孔用とし別の一台を緊張材固定穴２６の削孔用として区別してもよい。そうすると、貫通孔２４の削孔用の第１のドリルは第１ビット４２を装着したまま複数の貫通孔２４を先行的に順次削孔することができる。第２ビット４４は横穴２０から第２のドリルの工具軸４０に対して着脱される。
【００４１】
次いで、緊張材固定穴形成工程として、横穴２０の交差箇所３８からさらに下方に向かって第２ビット４４により掘り下げ、緊張材固定穴２６を削孔する。緊張材固定穴２６は根積部１６まで達し、例えばその底部は根積部１６の高さの略半分の位置に設定される。図１の例では、根積部１６が４段のブロック体３６で積層されているのに対して、緊張材固定穴２６の底部は２段目まで達している。緊張材固定穴形成工程では貫通孔２４にドリルの工具軸４０を配設しているが、条件によってはフレキシブルジョイント式工具軸を用いて横穴２０から緊張材固定穴２６を削孔してもよい。
【００４２】
さらに、穴側面加工工程として、電動ピックやウォータジェットなどによって緊張材固定穴２６の内側面を削って表面を粗くし、及び／又はシアキーとなる溝部を設ける。このような目荒らしや溝形成により充填剤の付着強度が向上する。図１、図４及び図５においては目の荒れた緊張材固定穴２６の内側面を鋸刃形状で示している。緊張材固定穴２６は鉛直穴とは限らず、例えばこの工程において底部周辺を削り、下に向かって拡径する払底部４８を設けてもよい。払底部４８により充填剤が一層強固に固定されることになる。
【００４３】
穴補強工程として、補強筋である縦スパイラル５０及び／又は穴補強鉄筋５２を緊張材固定穴２６に設ける。縦スパイラル５０は緊張材固定穴２６に同軸状に挿入される。縦スパイラル５０は定着板３２よりも大径である場合には該定着板３２の挿入に前後して配置すればよく、定着板３２よりも小径である場合には、後述する緊張材下部固定工程の第１段階後に、回転させながら緊張材２８に対して巻きかけるようにして挿入すればよい。
【００４４】
穴補強鉄筋５２は、組積造壁１８の下方端付近又は横穴２０の下面から緊張材固定穴２６を貫通するように斜めに設けられた穴に挿入される。穴補強鉄筋５２は高強度材とし、その上部は横穴２０の内部に突出していてもよい。穴側面加工工程と穴補強工程の順序は問われないし、条件によっては省略してもよい。
【００４５】
そして、緊張材下部固定工程として、補強梁３４及び壁上端２２から緊張材固定穴２６まで緊張材２８を挿入し、緊張材２８の下端を緊張材固定穴２６の中で充填剤としてのモルタルやコンクリートにより固定する。緊張材２８が短い場合には複数本をカプラー又は溶接によって延長接続してもよい。
【００４６】
このとき、図３に示すように、まず緊張材下部固定工程の第１段階として緊張材２８の下端を横穴２０まで挿入しておき、定着板３２及びワッシャ付きのナット３０を取り付ける。定着板３２は中心孔が緊張材２８の下端に挿入され、螺合されたナット３０によって下から支えられる。定着板３２は２つのナット３０によって上下から固定すると、充填剤の充填を安定的に行うことができる。定着板３２には充填剤を充填しやすいようにいくつかの孔や周辺切欠きがバランスよく設けられていてもよい。定着板３２は複数枚設けてもよい。
【００４７】
横穴２０は比較的浅くて足り、作業性が良好であることから定着板３２の挿入は容易であり、該定着板３２には特許文献１記載の発明のような深い挿入切欠が不要であり、良好な強度が得られる。同様に、横穴２０内でのナット３０の取付けは容易であることから緊張材２８を壁上端２２から挿入するときにあらかじめナット３０を設けておく必要がなく、したがって貫通孔２４をその分だけ細径にすることができる。緊張材２８は定着板３２が緊張材固定穴２６の半分深さ程度となるまで下降させておく。
【００４８】
そして、緊張材下部固定工程の第２段階として、緊張材固定穴２６に充填剤を横穴２０から流し込み、緊張材２８を定着板３２とともに固定する。このとき緊張材固定穴２６は上方に開口していることから充填剤が漏出することがなく、簡便な流し込みが可能である。また、横穴２０は比較的浅い穴であって緊張材固定穴２６への充填剤の流し込み作業が容易である。
【００４９】
緊張材下部固定工程では、緊張材固定穴２６とともに横穴２０を充填剤で埋め戻すものとする。横穴２０の表面はブロック体３６又は代替品で覆うようにしてもよい。緊張材固定穴２６及び横穴２０は、特許文献１記載の発明におけるコンクリート基礎５０２（図６参照）に設けた横穴５１０よりも浅く且つ小容量であり、充填剤の充填が容易である。
【００５０】
緊張材固定穴２６に充填した充填剤は適切に養生し固化させる。こうして緊張材２８の下端は定着板３２とともに緊張材固定穴２６及び根積部１６に強固に固定される。根積部１６は組積造壁１８よりも厚く高強度となっており緊張材２８の固定は相当に強固となる。
【００５１】
次に、張力付与工程として、緊張材２８の壁上端２２及び補強梁３４から突出した上端部分に対してジャッキなどを用いて上方に引っ張ることにより張力を付与する。この張力により組積造１２に対して適切な鉛直圧縮力がプレストレスとして加わることになる。
【００５２】
さらに、緊張材上部固定工程として、緊張材２８に張力が付与された状態で、緊張材２８の上部を固定具３７によって補強梁３４を介して壁上端２２に固定する。固定具３７は取り外し可能なものとし、事後的な再調整として張力付与工程及び緊張材上部固定工程を再実施してもよい。張力付与工程における張力付与機構が簡便構成である場合には、そのまま取り外すことなく緊張材上部固定工程を省略してもよい。
【００５３】
上記したような本実施の形態に係る組積造１２の補強構造１０及び補強方法によれば、緊張材２８によるプレストレスにより組積造壁１８のせん断応力や曲げ耐力を向上させることができて耐震性が向上し、しかも外観がほとんどそのまま維持される。
【００５４】
また、横穴２０は組積造壁１８の側面に形成することから地面１３を掘削することなく緊張材２８の下端を適切に固定することができる。掘削機の用意、掘削工程、土砂の保管及び埋戻し工程が不要であって工事が簡便となり、コストの低減と工期の短縮化が図られる。古い組積造１２が立設している地面１３は同様に古いタイル張り構造であって組積造１２と一体的な文化的価値のある場合もあるが、そのような場合にもタイル張り構造に支障を及ぼさない。横穴２０は比較的浅くて済み、該横穴２０の削孔や横穴２０内での作業が容易となる。
【００５５】
また、強度上重要なコンクリート基礎１４には手を加える必要がなく強度が維持される。やや大径の緊張材固定穴２６は横穴２０よりも下方だけに設けられ、貫通孔２４は緊張材２８が挿通可能な程度であれば足り、相当に小径にすることができて組積造壁１８に与える損傷が小さい。特に、ナット３０（図３参照）は横穴２０から装着するため、その分貫通孔２４を小径にすることができる。
【００５６】
組積造１２の補強構造１０では、将来的に補強部材を撤去して元の状態に戻す可逆性が要求される場合には、横穴２０を再度設けて露呈した緊張材２８を切断することにより該緊張材２８を壁上端２２から引き抜くこともできる。この場合も地面１３の掘削は不要である。
【００５７】
図４に示すように、補強構造１０の第１の変形例として、横穴２０は地下の根積部１６の側面に設けてもよい。この場合には地面１３を掘削して作業エリア４６を確保する必要があるが、該作業エリア４６は従来技術における作業エリア５０６（図６参照）よりも浅くかつ小さいため、少ない掘削量で足りる。また、横穴２０は従来技術における横穴５１０（図６参照）と比較して十分に浅くて作業性がよい。作業エリア４６を埋め戻すことにより横穴２０は地下となり施工跡が視認されず、組積造壁１８の外観が保全される。
【００５８】
さらに、図４における仮想線で示すように、緊張材固定穴２６はコンクリート基礎１４まで達する深さとしてもよい。これにより、緊張材２８の下端を定着板３２とともに一層堅固に固定できる。この場合、コンクリート基礎１４に対する緊張材固定穴２６の削孔量は従来技術における横穴５１０（図６参照）よりも相当に少なく、コンクリート基礎１４の強度はあまり低下しない。緊張材固定穴２６の深さは、強度上の検討から定着板３２が好ましい配置となるように決定するとよい。また、図示を省略するが上記と同様の縦スパイラル５０、穴補強鉄筋５２を設けてもよい。
【００５９】
図５に示すように、補強構造１０の第２の変形例として、基礎部１４が浅い場合には横穴２０は基礎部１４の側面に設けてもよい。この場合には地面１３を掘削して作業エリア４６を確保する必要があるが、該作業エリア４６は従来技術における作業エリア５０６（図６参照）よりも浅くかつ小さいため、少ない掘削量で足りる。また、図６に示す従来技術と定着板３２の位置が同じであったとしても、緊張材固定穴２６及び横穴２０の削孔量は横穴５１０よりも相当に少なく、コンクリート基礎１４の強度はあまり低下しない。
【００６０】
緊張材固定穴２６には上記と同様の縦スパイラル５０、穴補強鉄筋５２（図示せず）を設けても良いし、横穴２０には補強筋として横スパイラル５４を設けて補強してもよい。この場合も作業エリア４６を埋め戻すことにより横穴２０は地下となり施工跡が視認されず、組積造壁１８の外観が保全される。
【００６１】
本発明は、上記した実施形態に限定されるものではなく、本発明の主旨を逸脱しない範囲で自由に変更できることは勿論である。
【符号の説明】
【００６２】
１０  補強構造、    １２，５００  組積造、    １３  地面、    １４，５０２  コンクリート基礎（基礎部）、    １６，５０４  根積部、    １８，５０５  組積造壁、    ２０，５１０  横穴、    ２２  壁上端、    ２４，５０８  貫通孔、    ２６  緊張材固定穴、    ２８，５１６  緊張材、    ３０  ナット、    ３２，５２０  定着板（定着部材）、    ３４  補強梁、    ３６  ブロック体、    ３７  固定具、    ３８  交差箇所、    ４０  工具軸、    ４２  第１ビット（第１工具）、    ４４  第２ビット（第２工具）、    ４６，５０６  作業エリア、    ４８  払底部、    ５０  縦スパイラル、    ５２  穴補強鉄筋、    ５４  横スパイラル、    ５２２  スパイラル。
【図１】
2018178646.tif 000003
【図２】
2018178646.tif 000004
【図３】
2018178646.tif 000005
【図４】
2018178646.tif 000006
【図５】
2018178646.tif 000007
【図６】
2018178646.tif 000008